(57)【要約】【課題】ＰＣ等の端末装置の操作が苦手な人であっても何不自由なく、しかも迅速に、自身のスケジュール情報等を書き込むことができ且つ自身以外のスケジュール情報等を閲覧可能な電子掲示板システムを提供することを目的とする。【解決手段】手書き表示装置３は、手書き用ペン４によって自由にメッセージ等を書き込め、且つ、電子掲示板２ａの掲示板情報を表示する。外部の携帯電話１２やＰＤＡ１３，１４から電子掲示板２ａにメッセージを書き込むと、それがすぐに手書き表示装置３に表示される。また、手書き表示装置３に手書き入力した内容は掲示データとして電子掲示板サーバ２へ格納されると共に電子掲示板２ａの掲示板情報として反映されるため、手書き入力による掲示板情報を外出先から携帯電話１２等で閲覧することができる。また、ゲートウェイ装置１にファイアウォール機能を持たせて外部からの不正アクセスを防止している。【選択図】  図１
2004336479.tif 000002
【特許請求の範囲】
【請求項１】
掲示情報サーバがネットワークを介して複数のネットワーク端末と接続され、該掲示情報サーバが、前記ネットワーク端末からの掲示情報を保存すると共に、該保存されている掲示情報が掲示板情報として掲示されるものであって前記ネットワーク端末から閲覧可能な電子掲示板を形成し、前記ネットワーク端末から前記電子掲示板の閲覧要求があったときに該閲覧要求に応じた掲示板情報を該要求元へ送信するよう構成された電子掲示板システムであって、
前記ネットワークに接続され、手書きで自由に情報を書き込み可能な手書き入力手段、及び、該手書き入力手段に書き込まれた手書き情報を読み取る手書き情報読み取り手段からなる手書き情報入力装置と、
前記手書き情報読み取り手段が読み取った前記手書き情報を、前記ネットワーク端末にて表示可能なデータ形式に変換する手書き情報変換手段と、
を備え、
前記掲示情報サーバは、前記手書き情報読み取り手段にて読み取られた手書き情報を、前記掲示情報として、そのまま又は前記手書き情報変換手段による変換後のデータ形式にて保存すると共に、前記手書き情報変換手段による変換後の手書き情報を前記掲示板情報として前記電子掲示板に掲示する
ことを特徴とする電子掲示板システム。
【請求項２】
前記手書き情報入力装置は、前記電子掲示板に掲示されている掲示板情報を表示する掲示板情報表示手段を備えている
ことを特徴とする請求項１記載の電子掲示板システム。
【請求項３】
前記手書き情報読み取り手段は、
手書き入力者が前記手書き入力手段に対して書き込む際の手書きストロークを検出するストローク検出手段と、
該ストローク検出手段により検出された手書きストロークを前記手書き情報として記憶するストローク記憶手段と、
を備えていることを特徴とする請求項１又は２記載の電子掲示板システム。
【請求項４】
前記手書きストロークに関連するストローク関連情報として少なくとも手書き入力者情報又は手書き入力時刻のいずれかを入力するストローク関連情報入力手段を備え、
前記掲示情報サーバは、前記手書き情報を保存する際、該手書き情報に対する前記ストローク関連情報と対応付けて保存する
ことを特徴とする請求項３記載の電子掲示板システム。
【請求項５】
前記手書き情報読み取り手段は、
前記手書き入力手段における、手書き入力者による書き込み可能な範囲の一部又は全ての書き込み内容をイメージデータとして読み取るイメージ読み取り手段と、
該イメージ読み取り手段が読み取った範囲のイメージデータの中から、少なくとも前記手書き入力者が手書きした内容を含む所定エリア部分のイメージデータのみを抜き取るイメージ抜き取り手段と、
該イメージ抜き取り手段が抜き取った前記所定エリア部分のイメージデータを手書き情報として記憶するイメージ記憶手段と、
を備えたことを特徴とする請求項１又は２記載の電子掲示板システム。
【請求項６】
前記イメージ抜き取り手段により抜き取られたイメージデータに関連するイメージ関連情報として少なくとも手書き入力者情報又は手書き入力時刻のいずれかを入力するイメージ関連情報入力手段を備え、
前記掲示情報サーバは、前記手書き情報を保存する際、該手書き情報に対する前記イメージ関連情報と対応付けて保存する
ことを特徴とする請求項５記載の電子掲示板システム。
【請求項７】
前記ネットワークは、ゲートウェイ装置を介して前記掲示情報サーバと接続された広域ネットワークであり、
前記複数のネットワーク端末はいずれも、前記広域ネットワーク及び前記ゲートウェイ装置を介して前記掲示情報サーバへの前記掲示情報の送信及び前記電子掲示板を閲覧可能な情報通信端末である
ことを特徴とする請求項１〜６いずれかに記載の電子掲示板システム。
【請求項８】
前記ネットワークは、予め設定された範囲内に構築された内部ネットワークであって、外部の広域ネットワークとゲートウェイ装置を介して相互にデータ送受信可能に接続されており、
前記掲示情報サーバは、前記広域ネットワーク及び前記ゲートウェイ装置を介して外部の情報通信端末から前記電子掲示板の閲覧要求があったときに該閲覧要求に応じた掲示板情報を該要求元へ送信すると共に、前記広域ネットワーク及び前記ゲートウェイ装置を介して前記情報通信端末から前記掲示情報が送信されてきたとき、その掲示情報を保存し且つそれを前記掲示板情報として前記電子掲示板に掲示する
ことを特徴とする請求項１〜６いずれかに記載の電子掲示板システム。
【請求項９】
前記広域ネットワーク及び前記ゲートウェイ装置を介して前記掲示情報サーバへアクセスがあったときに、該アクセスを許可すべきか否かを選択する外部アクセス選択手段を備えていることを特徴とする請求項７又は８記載の電子掲示板システム。
【請求項１０】
前記掲示情報サーバへのアクセスが可能な前記情報通信端末には、予め、該情報通信端末毎に固有の識別子が設定されていると共に、該情報通信端末から前記掲示情報サーバへのデータ送信の際には前記識別子も含めて送信するよう構成されており、
前記外部アクセス選択手段は、
前記アクセスが可能な情報通信端末の識別子が記憶された登録情報記憶手段と、
前記広域ネットワーク及び前記ゲートウェイ装置を介して前記掲示情報サーバへのアクセスがあったとき、前記登録情報記憶手段の記憶内容に基づいてアクセス元の識別子を判別し、該識別子が前記登録情報記憶手段に記憶されていた場合に、前記掲示情報サーバへのアクセスを許可する識別子判別手段と、を備えた
ことを特徴とする請求項９記載の電子掲示板システム。
【請求項１１】
前記登録情報記憶手段には、前記アクセスが可能な情報通信端末の識別子が該情報通信端末の使用者と対応付けて記憶され、
前記掲示情報サーバは、
前記情報通信端末から前記掲示情報を受信したとき、該掲示情報に付加された前記識別子と前記登録情報記憶手段の記憶内容とに基づいて該掲示情報の提供者を識別すると共に該提供者と該掲示情報とを対応付けて保存する第１掲示情報保存手段と、
前記手書き情報を、該手書き情報の提供者である手書き入力者と対応付けて前記掲示情報として保存する第２掲示情報保存手段と、
前記各保存手段の保存内容に基づいて、前記掲示情報をその提供者毎に分類して掲示板情報として前記電子掲示板に掲示させる分類掲示手段と、
を備え、
前記情報通信端末又は前記掲示板情報表示手段には、前記分類掲示手段により分類掲示された状態で前記掲示板情報が表示される
ことを特徴とする請求項１０記載の電子掲示板システム。
【請求項１２】
前記掲示情報サーバに保存されている掲示情報を外部の前記情報通信端末にて表示可能なデータ形式に変換する第１掲示情報変換手段を備え、
前記掲示情報サーバは、前記情報通信端末から前記電子掲示板の閲覧要求があったとき、該閲覧要求に応じた掲示板情報に対応した掲示情報を、前記第１掲示情報変換手段による変換後のデータ形式にて該要求元へ送信する
ことを特徴とする請求項７〜１１いずれかに記載の電子掲示板システム。
【請求項１３】
前記情報通信端末から送信されてきた掲示情報を前記掲示板情報表示手段が表示可能なデータ形式に変換する第２掲示情報変換手段を備え、
前記掲示板情報表示手段は、前記第２掲示情報変換手段による変換後のデータに従って前記情報通信端末からの掲示情報を表示する
ことを特徴とする請求項７〜１２いずれかに記載の電子掲示板システム。
【請求項１４】
前記広域ネットワークは少なくともインターネットを含み、
前記情報通信端末は、インターネットサービスプロバイダを介して前記インターネットに接続し、該インターネットを介して前記掲示情報サーバへアクセスする
ことを特徴とする請求項７〜１３いずれかに記載の電子掲示板システム。
【請求項１５】
前記掲示情報サーバは、
前記掲示情報が新規に保存されるか、或いは、保存されている掲示情報の編集が行われたときに、少なくとも、該新規保存又は該編集を行った情報更新元端末を除く１又は複数の前記端末へ、該新規保存又は該編集されたことを通知する更新通知手段を備えた
ことを特徴とする請求項７〜１４いずれかに記載の電子掲示板システム。
【請求項１６】
前記情報通信端末は、
前記更新通知手段からの通知を受けたとき、前記新規保存又は編集がなされたことを当該情報通信端末の使用者に報知する更新報知手段を備えたことを特徴とする請求項１５記載の電子掲示板システム。
【請求項１７】
前記情報通信端末は、
前記更新報知手段による報知後、当該情報通信端末から前記掲示情報サーバへアクセスして前記新規保存又は編集された掲示情報に対応した掲示板情報を閲覧したときに、当該情報通信端末の使用者がその掲示板情報を確認したことを前記掲示情報サーバへ通知する確認通知手段を備えた
ことを特徴とする請求項１６記載の電子掲示板システム。
【発明の詳細な説明】
【０００１】
【発明の属する技術分野】
本発明は、通信ネットワーク上で複数の利用者が自由にメッセージを書き込み、閲覧可能な電子掲示板システムに関する。
【０００２】
【従来の技術】
従来より、例えば家庭内の人間（以下「家人」という）全員のスケジュールを一括管理する方法として、家庭内の所定の場所に掲示板を設置し、各家人がスケジュール情報等を自由に書き込めるようにする方法がある。
【０００３】
具体的には、家庭内で家人が必ず目にするであろう場所（例えばリビングの壁や冷蔵庫のドアなど）にホワイトボード等の掲示板を設置しておき、家人が自由に書き込めるようにしておく。そして、各家人はその掲示板を見ることにより、家族のスケジュールやメッセージ等を確認することができる。
【０００４】
しかしながら、ホワイトボード等の掲示板を用いた従来のスケジュール一括管理方法では、掲示板が設置された場所に行かないとスケジュール情報等を見ることができない。逆に自分のスケジュール情報等を家人に知らせるためにも、やはり掲示板が設置された場所に行って書き込むことが必須である。
【０００５】
そこで例えば、ホワイトボード等の掲示板を用いる代わりに、通信ネットワーク上で複数の利用者が自由にメッセージを書き込み・閲覧可能な電子掲示板を利用することが考えられる（例えば、特許文献１参照。）。
即ち、掲示板情報を格納する電子掲示板サーバと、例えば複数のパーソナルコンピュータ（以下「ＰＣ」という）とを相互に通信ネットワークで接続することにより、各ＰＣから電子掲示板サーバへアクセスして電子掲示板の内容を閲覧したり、自らのスケジュール等を書き込んだりすることができる。これにより、各家人は、複数のＰＣを適宜設置することにより、ＰＣが設置された場所であればどこにいても各家人のスケジュールを確認でき、且つ自分自身のスケジュールを掲示することができる。
【０００６】
【特許文献１】
特開２００１−１７５５６３号公報
【０００７】
【発明が解決しようとする課題】
しかしながら、上記のように電子掲示板サーバと複数のＰＣとを接続してなる電子掲示板システムでは、掲示板情報の閲覧及び書き込みを全てＰＣ等の端末装置を介して行うことになるため、ＰＣ等の機器操作が苦手な家人（例えば子供や高齢者など）にとっては、自身のスケジュール情報等を書き込むだけでも大変な苦労を強いられることになる。そのため、結果的にＰＣ等の操作に慣れた家人の間だけで運営されるシステムになりかねず、そうなると家人全員のスケジュールを一括管理するための掲示板として機能しなくなる。
【０００８】
また、ＰＣ等の操作に慣れた家人であっても、例えば時間の余裕がないときなど、場合によっては、スケジュール情報等を書き込むためにＰＣ等の端末装置を起動して電子掲示板サーバへアクセスするといった一連の操作が煩わしいと感ずることも予想される。
【０００９】
本発明は上記課題に鑑みなされたものであり、ＰＣ等の端末装置の操作が苦手な人であっても何不自由なく、しかも迅速に、自身のスケジュール情報等を書き込むことが可能な電子掲示板システムを提供することを目的とする。
【００１０】
【課題を解決するための手段及び発明の効果】
上記課題を解決するためになされた請求項１記載の電子掲示板システムは、掲示情報サーバがネットワークを介して複数のネットワーク端末と接続されており、該掲示情報サーバが、ネットワーク端末からの掲示情報を保存すると共に、該保存されている掲示情報を掲示板情報として掲示する電子掲示板（ネットワーク端末から閲覧可能）を形成して、ネットワーク端末から電子掲示板の閲覧要求があったときにその閲覧要求に応じた掲示板情報を要求元へ送信するよう構成されたものである。
【００１１】
そして本発明では、ネットワークに接続され、手書きで自由に情報を書き込み可能な手書き入力手段及びその手書き入力手段に書き込まれた手書き情報を読み取る手書き情報読み取り手段からなる手書き情報入力装置と、手書き情報読み取り手段が読み取った手書き情報をネットワーク端末にて表示可能なデータ形式に変換する手書き情報変換手段とを備えており、掲示情報サーバは、手書き情報読み取り手段にて読み取られた手書き情報を、掲示情報として、そのまま又は手書き情報変換手段による変換後のデータ形式にて保存すると共に、手書き情報変換手段による変換後の手書き情報を掲示板情報として電子掲示板に掲示する。
【００１２】
即ち、掲示情報サーバと複数のネットワーク端末とからなる従来の電子掲示板システムに対し、新たに手書き情報入力装置を設けることにより自由にスケジュール情報等を手書き入力できるようにし、その手書き情報を各ネットワーク端末から閲覧できるようにしたのである。
【００１３】
従って、本発明（請求項１）の電子掲示板システムによれば、手書き情報入力装置により直接手書き入力するだけでその入力内容が掲示板情報として電子掲示板に掲示されるため、ＰＣ等の端末装置の操作が苦手な人でも何不自由なく自身のスケジュール情報等を書きこむことができる。しかも、キーボード等の入力装置を用いず直接手書き入力が可能であるため、より迅速に書き込むことも可能となる。
【００１４】
尚、電子掲示板の掲示板情報をネットワーク端末で表示させる際は、手書きイメージをイメージデータとしてそのまま表示させてもよいし、例えば手書きイメージを文字認識してテキストに変換し、テキストデータとして表示してもよい。
ここで、手書き情報入力装置は更に、例えば請求項２に記載のように、電子掲示板に掲示されている掲示板情報を表示する掲示板情報表示手段を備えたものとして構成するとよい。このようにすれば、電子掲示板の掲示内容（掲示板情報）を、ＰＣ等の端末装置の操作が苦手な人でも何不自由なく閲覧することが可能となる。また、ＰＣシステム等がなくても手書きで掲示板に書き込み、且つ掲示板情報を閲覧できるため、電子掲示板システムを安価に提供することも可能となる。
【００１５】
また、手書き情報読み取り手段は、入力者が手書きで書き込んだ内容を読み取ることができる限り種々の構成が考えられるが、例えば請求項３に記載のように、手書き入力者が手書き入力手段に対して書き込む際の手書きストロークを検出するストローク検出手段と、該ストローク検出手段により検出された手書きストロークを手書き情報として記憶するストローク記憶手段とにより構成してもよいし、また例えば、請求項５記載のように、手書き入力手段における、手書き入力者による書き込み可能な範囲の一部又は全ての書き込み内容をイメージデータとして読み取るイメージ読み取り手段と、該イメージ読み取り手段が読み取った範囲のイメージデータの中から少なくとも手書き入力者が手書きした内容を含む所定エリア部分のイメージデータのみを抜き取るイメージ抜き取り手段と、該イメージ抜き取り手段が抜き取った所定エリア部分のイメージデータを手書き情報として記憶するイメージ記憶手段とにより構成してもよい。いずれの構成であっても、手書き情報を手書きイメージの通り忠実に読み取ることができるため、読み取った手書き情報を確実に掲示情報として反映させることができる。
【００１６】
このとき、前者（請求項３）の場合は更に、例えば請求項４に記載のように、ストローク関連情報入力手段が手書きストロークに関連するストローク関連情報として少なくとも手書き入力者情報又は手書き入力時刻のいずれかを入力するようにし、掲示情報サーバは、手書き情報を保存する際、その手書き情報に対するストローク関連情報と対応付けて保存するようにするとよい。
【００１７】
つまり、ただ単に手書き入力手段に書き込まれた手書き情報を掲示情報サーバに保存するのではなく、その手書き情報を書き込んだ者或いは書き込んだ時刻などのストローク関連情報も併せて保存するのである。このようにすれば、掲示情報を時間別或いは個人別等、よりフレキシブルに編集・管理することができる。
【００１８】
後者（請求項５）の場合も更に、例えば請求項６に記載のように、イメージ関連情報入力手段が、イメージ抜き取り手段により抜き取られたイメージデータに関連するイメージ関連情報として少なくとも手書き入力者情報又は手書き入力時刻のいずれかを入力するようにし、掲示情報サーバは、手書き情報を保存する際、その手書き情報に対するイメージ関連情報と対応付けて保存するようにするとよい。このようにすれば、請求項４と同様の作用・効果を奏する。
【００１９】
ところで、上記電子掲示板システムが例えば家庭内に構築されている場合は、家人が在宅中でないとスケジュール情報等を電子掲示板に書き込む（掲示情報サーバに保存する）ことができないため、例えば外出先で急用或いは急なスケジュール変更等が生じたりすると、そのことをすぐに電子掲示板に反映させて家人全員に伝えるのは困難である。また、自身のスケジュール伝達とは逆に、各家人のスケジュール情報等を知りたい場合であっても、帰宅するまでは容易に知ることができない。
【００２０】
そこで、請求項１〜６いずれかに記載の電子掲示板システムは、例えば請求項７に記載のように構成するとよい。即ち、請求項７記載の電子掲示板システムは、掲示情報サーバがゲートウェイ装置を介して広域ネットワークと接続され、上記複数のネットワーク端末がいずれも、広域ネットワーク及びゲートウェイ装置を介して掲示情報サーバへの掲示情報の送信及び電子掲示板の閲覧が可能な情報通信端末である。
【００２１】
また例えば、請求項８に記載のように、掲示情報サーバ及び複数のネットワーク端末が接続された上記ネットワークは、予め設定された範囲内に構築された内部ネットワークがであって、外部の広域ネットワークとゲートウェイ装置を介して相互にデータ送受信可能に接続されており、掲示情報サーバは、広域ネットワーク及びゲートウェイ装置を介して外部の情報通信端末から電子掲示板の閲覧要求があったときに該閲覧要求に応じた掲示板情報を該要求元へ送信すると共に、広域ネットワーク及びゲートウェイ装置を介して情報通信端末から掲示情報が送信されてきたとき、その掲示情報を保存し且つそれを掲示板情報として電子掲示板に掲示するよう構成されたものであってもよい。
【００２２】
上記構成（請求項７，８）の電子掲示板システムによれば、掲示情報サーバがゲートウェイ装置を介して広域ネットワークと接続されているため、外出先からでも情報通信端末によって容易に掲示情報の送信及び電子掲示板の閲覧が可能となる。
【００２３】
ここで、上記請求項７又は８記載の発明によれば、既述の通り外出先からでも電子掲示板を閲覧してその掲示板情報を確認することができ、且つ外出先から掲示情報を送信することができるようになるが、広域ネットワークは一般に不特定多数の者が利用可能なものであるため、悪意を持った第三者により不正に当該電子掲示板システムへ侵入され、掲示情報サーバ内の掲示情報（例えばプライベート情報）を見られてしまうおそれがある。
【００２４】
そこで、例えば請求項９記載のように、広域ネットワーク及びゲートウェイ装置を介して掲示情報サーバへアクセスがあったときに、該アクセスを許可すべきか否かを選択する外部アクセス選択手段を備えるとよい。
そして外部アクセス選択手段は、例えば請求項１０記載のように構成することができる。即ち、請求項１０記載の電子掲示板システムは、掲示情報サーバへのアクセスが可能な情報通信端末には予め、該情報通信端末毎に固有の識別子が設定されていると共に、該情報通信端末から掲示情報サーバへのデータ送信の際には識別子も含めて送信するよう構成されており、外部アクセス選択手段は、アクセスが可能な情報通信端末の識別子が記憶された登録情報記憶手段と、広域ネットワーク及びゲートウェイ装置を介して掲示情報サーバへのアクセスがあったときに登録情報記憶手段の記憶内容に基づいてアクセス元の識別子を判別し、該識別子が登録情報記憶手段に記憶されていた場合に掲示情報サーバへのアクセスを許可する識別子判別手段と、を備えたものである。
【００２５】
上記構成の電子掲示板システムによれば、外部アクセス選択手段による選択（一例として識別子によるアクセス元判別）を行うことによって、外部からのアクセスを許可すべきか否か選択できるため、外部からの不特定多数のアクセスから掲示情報を守ることができ、例えば家庭内のプライベートな情報が家人以外に見られてしまうといった問題を防ぐことが可能となる。また、家人以外の外部からの不用なデータの書き込みや捏造といった問題を防ぐことができるという効果もある。
【００２６】
また、例え請求項１１に記載のように、上記登録情報記憶手段には更に、掲示情報サーバへアクセス可能な情報通信端末の識別子がその使用者と対応付けて記憶されるようにし、掲示情報サーバは、情報通信端末から掲示情報を受信したとき、該掲示情報に付加された識別子と登録情報記憶手段の記憶内容とに基づいて該掲示情報の提供者を識別すると共に該提供者と該掲示情報とを対応付けて保存する第１掲示情報保存手段と、手書き情報をその提供者である手書き入力者と対応付けて掲示情報として保存する第２掲示情報保存手段と、各保存手段の保存内容に基づき掲示情報をその提供者毎に分類して掲示板情報として電子掲示板に掲示させる分類掲示手段と、を備えるようにするとよい。
【００２７】
そして、情報通信端末又は掲示板情報表示手段は、掲示板情報を表示する際、上記分類掲示手段により提供者毎に分類掲示された状態で表示するものであるとよい。
つまり、掲示情報を情報通信端末或いは掲示板情報表示手段で表示する際に、単に情報を列挙するのではなく、情報提供者毎に分類して表示するのである。分類掲示手段による分類掲示の具体例としては、例えば電子掲示板において、提供者毎に掲示エリアを設定して、各掲示板情報を対応する掲示エリアにそれぞれ掲示するようにしてもよいし、また例えば、電子掲示板を複数ページからなる構成のものにすると共に掲示情報提供者毎に掲示ページを設定して、各掲示板情報を対応する掲示ページにそれぞれ掲示するようにしてもよい。このように、掲示板情報をその情報提供者毎に分類して表示するようにすれば、所望のメッセージを迅速に閲覧することができる。
【００２８】
次に、請求項１２記載の電子掲示板システムは、掲示情報サーバに保存されている掲示情報を外部の情報通信端末にて表示可能なデータ形式に変換する第１掲示情報変換手段を備え、掲示情報サーバは、情報通信端末から電子掲示板の閲覧要求があったとき、該閲覧要求に応じた掲示板情報に対応した掲示情報を、第１掲示情報変換手段による変換後のデータ形式にて該要求元へ送信するよう構成されたものである。
【００２９】
上記構成の電子掲示板システムによれば、様々な種類の情報通信端末から電子掲示板の閲覧要求があっても、それぞれに適したデータ形式にて所望の掲示情報が送信されるため、各情報通信端末それぞれにおいてより確実に掲示板情報を表示させることが可能となる。
【００３０】
また、請求項１３記載の電子掲示板システムは、情報通信端末から送信されてきた掲示情報を掲示板情報表示手段が表示可能なデータ形式に変換する第２掲示情報変換手段を備え、掲示板情報表示手段は、第２掲示情報変換手段による変換後のデータに従って情報通信端末からの掲示情報を表示するよう構成されたものである。
【００３１】
上記構成の電子掲示板システムによれば、様々な種類の情報通信端末から掲示情報が送信されてきても、いずれも掲示板情報表示手段で表示可能なデータ形式に変換されるため、各情報通信端末からの掲示板情報をより確実に掲示板情報表示手段に表示させることが可能となる。
【００３２】
上記広域ネットワークは、例えば請求項１４に記載のように少なくともインターネットを含むものであってもよい。そしてこの場合、情報通信端末は、インターネットサービスプロバイダを介してインターネットに接続し、該インターネットを介して掲示情報サーバへアクセスするものであるとよい。
【００３３】
インターネット上でのデータ通信は、通常、ＴＣＰ／ＩＰプロトコルを利用し、ＩＰアドレスに基づくルーティングを介してデータ通信が行われる。そのため、ＩＰアドレスを有している端末であれば何でも、掲示情報サーバへアクセス（電子掲示板を閲覧）することが可能となる。
【００３４】
請求項１５記載の電子掲示板システムは、掲示情報サーバが更新通知手段を備えたものである。即ち、更新通知手段は、掲示情報が新規に保存されるか或いは保存されている掲示情報の編集が行われたときに、少なくとも、該新規保存又は該編集を行った情報更新元端末を除く１又は複数の前記端末（情報通信端末又はネットワーク端末）へ、該新規保存又は該編集されたことを通知する。
【００３５】
そしてこの場合の情報通信端末は、より好ましくは、例えば請求項１６に記載のように、情報通信端末は、更新通知手段からの通知を受けたときに新規保存又は編集がなされたことを当該情報通信端末の使用者に報知する更新報知手段を備えたものであるとよい。
【００３６】
上記構成の電子掲示板システムによれば、掲示情報が更新される度に、更新通知手段が各端末に更新された旨を通知するため、その端末の利用者は、常に新しい掲示内容を閲覧・把握することができる。特に請求項１６記載の発明によれば、情報通信端末の使用者に直接的に報知するため、新規保存又は編集データの見忘れを防止することができる。そして、通知対象を全ての上記各端末にすれば、当該システム利用者全員に確実かつ迅速に最新の掲示板情報を伝えることも可能となる。
【００３７】
更に、例えば請求項１７に記載のように、情報通信端末は、更新報知手段による報知後、当該情報通信端末から掲示情報サーバへアクセスして新規保存又は編集された掲示情報に対応した掲示板情報を閲覧したときに、当該情報通信端末の使用者がその掲示板情報を確認したことを前記掲示情報サーバへ通知する確認通知手段を備えたものであるとよい。このようにすれば、掲示情報サーバは、更新通知した通知対象からアクセスがあったか否かを確実に把握・管理することができる。
【００３８】
【発明の実施の形態】
以下に、本発明の好適な実施形態を図面に基づいて説明する。図１は、本実施形態の家庭内電子掲示板システムの概略構成を示す説明図である。図１に示す如く、本実施形態の家庭内電子掲示板システムは、家庭内の家人のみが、家庭内ではもちろん外出先からでも家人のスケジュール情報等を共有することができるものであり、ゲートウェイ装置１と、手書き表示装置３と、共用ＰＣ６と、父用ＰＣ７とが家庭内ネットワーク（本発明の内部ネットワーク）５により相互にデータ通信可能に接続された家庭内ＬＡＮ（Ｌｏｃａｌ  Ａｒｅａ  Ｎｅｔｗｏｒｋ）が構築されている。  ゲートウェイ装置１は、電子掲示板サーバ２としての機能を備えたものであり、各端末からのメッセージ（掲示データ）を蓄積すると共に、電子掲示板サーバソフトウェアにより各端末が閲覧可能な電子掲示板２ａを形成する。この電子掲示板２ａは、蓄積された掲示データが掲示板情報として掲示されるものであり、本実施形態では、各端末が備えるＷＷＷ（Ｗｏｒｌｄ  Ｗｉｄｅ  Ｗｅｂ）ブラウザにより閲覧可能なＷｅｂページとして形成される。尚、各端末からの掲示データは本発明の掲示情報に相当するものである。
【００３９】
そして、家庭内ＬＡＮはゲートウェイ装置１及びＩＳＰ（Ｉｎｔｅｒｎｅｔ  Ｓｅｒｖｉｃｅ  Ｐｒｏｖｉｄｅｒ  ）１５を介して外部のＷＡＮ（Ｗｉｄｅ  Ａｒｅａ  Ｎｅｔｗｏｒｋ）に接続されている。具体的には、図示しない通信回線及びＩＳＰ１５を介してインターネット網１０に接続され、このインターネット網１０に接続されたＩＳＰ１１を介して各種携帯用情報通信端末と相互にデータ通信できるよう構成されている。
【００４０】
本実施形態では、携帯用情報通信端末として、携帯電話１２及びＰＤＡ（Ｐｅｒｓｏｎａｌ  Ｄｉｇｉｔａｌ  Ａｓｓｉｓｔａｎｔｓ  ）１３，１４を例に挙げて以下説明する。尚、本実施形態では携帯用情報通信端末がアクセスするＩＳＰと家庭内ＬＡＮからアクセスするＩＳＰとを別のものとしたが、これはあくまでも一例であって、両者が同じＩＳＰであってもよいことはいうまでもない。
【００４１】
携帯電話１２は、基地局（図示略）との間で無線通信することで移動しながら種々の通信サービスを受けられる周知の携帯用電話機であり、本実施形態では、後述するように、ＷＷＷブラウザを搭載し、ＩＳＰ１１を介してインターネット網１０へ接続することにより各種Ｗｅｂコンテンツを閲覧できるようになっている。
【００４２】
また、ＰＤＡ１３，１４はいずれも、住所録やスケジュール帳、メモ帳、メールなどの基本的機能を備えた周知の情報管理ツールであり、本実施形態では更に、内部に無線通信機能を備えると共にＷＷＷブラウザを搭載し、ＩＳＰ１１を介してインターネット網１０に接続することにより各種Ｗｅｂコンテンツを閲覧できるようになっている。尚、以下の説明において「外部端末」とは、上記携帯電話１２及びＰＤＡ１３，１４を含む、インターネット網１０に接続可能な各種情報通信端末の総称である。
【００４３】
このように構成された家庭内電子掲示板システムでは、家庭内ネットワーク５に接続されているＰＣ６，７等の端末から電子掲示板２ａへ自由にメッセージを書き込み、閲覧、編集することができる。また、手書き表示装置３には電子掲示板２ａの掲示内容（掲示板情報）が表示され、且つ、手書き用ペン４で手書き入力した内容が電子掲示板２ａに掲示され、その掲示内容が各ＰＣ６，７で閲覧可能となると共に手書き表示装置３自身にも掲示板情報として表示される。更に、外部端末からも電子掲示板サーバ２にアクセスすることにより電子掲示板２ａの閲覧（掲示板情報を閲覧）、電子掲示板２ａへの各種メッセージ等（掲示データ）の書き込みや編集をすることができる。
【００４４】
尚、本実施形態では、携帯電話１２は長男専用、ＰＤＡ１３は母親専用、ＰＤＡ１４及びＰＣ７は父親専用、ＰＣ６は家人全員が共用できるもの、として説明する。そのため、以下の説明では、各機器をそれぞれ長男用携帯電話１２，母用ＰＤＡ１３，父用ＰＤＡ１４，父用ＰＣ７，共用ＰＣ６，という。
【００４５】
図２に、本実施形態のゲートウェイ装置１の概略構成を示す。本実施形態のゲートウェイ装置１は、外部（ＷＡＮ）と家庭内ＬＡＮとのデータ通信プロトコルの相違を調整して両者間のデータ通信を中継するゲートウェイとしての機能と、外部からの不正アクセスを防止するファイアウォールとしての機能と、電子掲示板サーバ２としての機能と、を全て兼ね備えたものである。
【００４６】
ＣＰＵ２１は、当該ゲートウェイ装置１を上記３つの機能を備えたものとして動作させるための制御全体を担うものであり、既述の電子掲示板サーバソフトウェアを含む各種制御プログラムがＲＯＭ２２に格納されている。ＲＡＭ２３は、上記各種制御プログラムを実行するときのワークメモリである。ＲＴＣ（Ｒｅａｌ  Ｔｉｍｅ  Ｃｌｏｃｋ  ）２４は、時刻管理をするためのものである。大容量記憶部２５は、例えばハードディスク等により構成された大容量メモリであり、この中には、掲示データをはじめ、後述するネットワーク識別子や認証ＩＤ、さらには電子掲示板サーバ２へのアクセスログや動作パラメータなどが格納されている。
【００４７】
つまり、本実施形態では、ＣＰＵ２１とＲＯＭ２２と大容量記憶部２５とで電子掲示板サーバ２（図１参照）が構成されていることになる。尚、この電子掲示板サーバ２は本発明の掲示情報サーバに相当するものである。
イーサネット（登録商標）制御部２７は、当該ゲートウェイ装置１と家庭内ネットワーク５との間でのデータ送受を中継するインタフェースとして機能するものである。インターネット通信部２６は、当該ゲートウェイ装置１をＩＳＰ１５に接続するインタフェースである。そして、上記各構成要素がバス２８により相互に接続されている。
【００４８】
本実施形態では、既述の通り、家庭内ＬＡＮへのパケット進入自体をフィルタリングするためのネットワーク識別子が大容量記憶部２５に予め記憶（登録）されており、後述するように外部から受信したパケットにこの登録されたネットワーク識別子が含まれていた場合にそのパケットの家庭内ＬＡＮ内へのアクセスを許可する。
【００４９】
このネットワーク識別子は、例えばアクセス元の外部端末のＩＰアドレスであってもいいし、ゲートウェイ装置１のＩＰアドレスとアクセス元の外部端末が持つＩＰアドレスとの両者を一体としてネットワーク識別子としてもよい。また、ＩＰアドレスとは別のゲートウェイ装置１固有のネットワーク識別子であってもよい。
【００５０】
各端末装置にはそれぞれ、端末装置固有の（つまり端末装置使用者固有の）認証ＩＤ（本発明の識別子）が登録されている。尚、ここでいう「端末装置」とは、上記各外部端末１２，１３，１４に家庭内ＬＡＮ上の各ＰＣ６，７を含む総称である（以下同様）。
【００５１】
即ち、長男用携帯電話１２には長男用認証ＩＤが、母用ＰＤＡ１３には母用認証ＩＤが、父用ＰＤＡ１４及び父用ＰＣ７には父用認証ＩＤが、それぞれ登録されている。また、共用ＰＣ６は家庭内の家人誰でも使用できるものであるため、共用ＰＣ６である旨を示す共用認証ＩＤが登録されている。そして、各端末装置から電子掲示板サーバ２へのアクセス（パケット送信）の際は、上記ネットワーク識別子に加えて上記認証ＩＤも付加したパケットが送信されることになる。
【００５２】
一方、電子掲示板サーバ２にも、上記ネットワーク識別子とは別に、電子掲示板サーバ２へのアクセス可否判断のために、上記各端末装置に登録されている各認証ＩＤが登録（実際には大容量記憶部２５に記憶）されている。具体的には、各端末装置毎に認証ＩＤとその端末装置の使用者とが対応付けられて登録（記憶）されている。この認証ＩＤによるアクセス可否判断は上記ネットワーク識別子によるものより上位のプロトコルで行われるものである。
【００５３】
そのため、外部端末から電子掲示板サーバ２へのアクセス（電子掲示板２ａへの掲示データ書き込み或いは閲覧要求等）があった際は、まずネットワーク識別子にて家庭内ＬＡＮ内へのアクセス可否が判定され、アクセスが許可されたパケットはさらに電子掲示板サーバ２にて上記認証ＩＤによるアクセス可否判定が行われ、ここで許可されたものだけが最終的に電子掲示板サーバ２へアクセスできることになる。
【００５４】
尚、上記のようにネットワーク識別子及び認証ＩＤによるいわば二重のアクセス可否判断に限らず、例えば認証ＩＤのみで電子掲示板サーバ２へのアクセス可否判断を行うようにしてもよいが、外部からの不正アクセスをより確実に防止するためには、上記のように二重（或いはそれ以上）のアクセス可否判断とするのが好ましい。
【００５５】
認証ＩＤの登録方法は、例えば、はじめからデフォルトで記憶されている複数の認証ＩＤのうち一つを選択して父用認証ＩＤとして登録すると共に、父が使用する端末装置である父用ＰＤＡ１４及び父用ＰＣ７それぞれに対してもその認証ＩＤを入力・登録する方法が考えられる。
【００５６】
また例えば、母用ＰＤＡ１３にはじめから固有の認証ＩＤが記憶されているものとして、そのＰＤＡ１３を購入時に、その記憶されている認証ＩＤを母用認証ＩＤとして電子掲示板サーバ２へ入力・登録する方法でもよい。
更に例えば、電子掲示板サーバ２及び各端末装置のいずれにも最初からは認証ＩＤは登録されておらず、家人毎にユニークに決めた認証ＩＤを登録する方法も考えられる。即ち、例えば携帯電話１２を購入した長男が自分で認証ＩＤを決め、それを携帯電話１２へ入力・登録すると共に、電子掲示板サーバ２に対しても長男用認証ＩＤとして入力・登録するのである。
【００５７】
このように、認証ＩＤを各端末装置及び電子掲示板サーバ２に登録する方法は種々考えられ、少なくとも、端末装置に登録された認証ＩＤがその端末装置の使用者と対応付けられて電子掲示板サーバ２にも登録され、且つ、端末装置から電子掲示板サーバ２へのアクセス（パケット送信）の際にはその端末装置の認証ＩＤを含むパケットが送信されるようにできる限り、種々の方法を採用することができる。
【００５８】
電子掲示板サーバ２は、各ＰＣ６，７或いは外部端末１２，１３，１４で入力・送信された掲示データを受信すると、その掲示データを大容量記憶部２５に記憶する。このとき、単に受信した掲示データのみを記憶するのではなく、掲示データと共に送信されてきた認証ＩＤに基づき、その掲示データの入力者（送信者）及び送信日時（換言すれば入力者の掲示データ入力日時）と掲示データとを対応付けて記憶する。つまり大容量記憶部２５は本発明の登録情報記憶手段に相当するものである。
【００５９】
これにより、手書き表示装置３における掲示板情報の表示及び各端末装置６，７，１２〜１４における掲示板情報の表示は、後述するように、図５（ａ）、（ｂ）のように家人毎に分類されて表示されることになる。尚、図１に示した手書き表示装置３の表示例（情報の単なる羅列）のように表示することも可能であるが、これについても後述する。
【００６０】
また、本実施形態では、各端末装置からの掲示データ送信時に、自身の掲示データとしてではなく共用掲示データとして指定することもでき、その場合は、送信したデータが例えば図５（ａ）における送信者自身の掲示面に掲示されず、共用掲示面に掲示されることになる。
【００６１】
次に、手書き表示装置３（本発明の手書き情報入力装置に相当）について図３に基づいて説明する。ＣＰＵ３１は各種制御・処理の中枢を担うものであり、これら各種制御・処理のプログラムはＲＯＭ３３に格納されている。ＲＡＭ３４は、プログラム実行時のワークメモリである。イーサネット（登録商標）制御部４１は、当該手書き表示装置３と家庭内ネットワーク５との間でのデータ送受を中継するインタフェースとして機能するものである。
【００６２】
表示・入力部３６は、電子掲示板サーバ２に蓄積された掲示データの表示及び手書き用ペン４による手書き入力を受け付けるものであり、手書き用ペン４による手書き入力が可能なループコイルパネル部４６と、電子掲示板２ａに掲示された掲示板情報（詳細には大容量記憶部２５内の掲示データ）を表示する液晶パネル部４７とからなる。具体的には、図４に示す通りであり、ループコイルパネル部４６は、液晶パネル部４７の表示領域における一部領域に形成されている。
【００６３】
そして、表示・入力部３６（つまり液晶パネル部４７）に掲示板情報を表示させる表示モードのときは、ループコイルパネル部４６の領域を含む表示・入力部３６の全表示面に掲示板情報が表示される。一方、ループコイルパネル部４６（図４参照）に手書き用ペン４による手書き入力可能な手書き入力モードのときは、掲示板情報の表示が消え、ループコイルパネル部４６への手書き入力が可能な状態となる。
【００６４】
このモード切り換えは、モード切り換えボタン５１により行う。モード切換ボタン５１は、表示モードと入力モードのいずれかを選択するためのものである。本実施形態では、通常（電源投入時）は表示モードとなって掲示板情報が表示されているが、手書き入力する際には、モード切換ボタン５１により手書き入力モードに切り換える。
【００６５】
手書き入力モードへ切り換えた後は、入力者を認識させるための各識別ボタン５３〜５７のいずれかを押し、手書き表示装置３に対して誰による手書き入力がなされるのかを認識させる。本実施形態では、父用ボタン５３，母用ボタン５４，長男用ボタン５５，長女用ボタン５６，祖母用ボタン５７の５種類の識別ボタンが備えられている。手書き入力終了後は、入力確定ボタン５２を押すことで、手書き入力された内容が電子掲示板サーバ２へ送信され、掲示データとして記憶されると共に、表示・入力部３６が表示モードに自動的に切り換わり、手書き入力したばかりの内容を含む最新の掲示データが掲示板情報として液晶パネル部４７に表示される。上記各ボタン５１〜５７は、具体的には図４に示すように、手書き表示装置３における表示・入力部３６の下部に設けられている。
【００６６】
尚、表示モードにおける液晶パネル部４７の表示形式は、具体的には例えば図５（ａ）に示す形式である。これは、液晶パネル部４７全体を６つの領域に分割し、各領域をそれぞれ父用掲示面、母用掲示面、長男用掲示面、長女用掲示面、祖母用掲示面、共用掲示面としたものである。つまり、電子掲示板上において家人毎（掲示データ提供者毎）に固有の掲示エリア（表示エリア）を設定しておき、各家人による掲示板情報をそれぞれ対応するエリアに掲示するのである。この場合、誰からの掲示板情報であるかを表示する手間が省けるため、使い勝手が向上する。
【００６７】
また例えば、図５（ｂ）に示すように、電子掲示板２ａを家人毎にページ分割して各家人による掲示板情報をそれぞれ対応するページに掲示（表示）するようにしてもよい。つまり、掲示板を閲覧する際には、閲覧したい家人のページを選択してその家人の掲示板情報を表示させることになる。
【００６８】
いずれにしても、電子掲示板サーバ２に入力された掲示データは、その掲示データの入力（作成）者情報及び入力時刻情報と共に大容量記憶部２５に記憶され、各端末装置６，７，１２〜１４或いは手書き表示装置３での表示の際には、図５（ａ），（ｂ）に例示したように、家人毎に分類されて表示されることになる。
【００６９】
尚、上記のような分類表示以外に、例えば図１に例示したように、表示方法切換手段（図示略）によって掲示板情報を最新情報から順に列挙させることもできる。このような表示方法は、例えば最新情報を迅速に把握したいといった場合などに有効である。
【００７０】
手書き用ペン（発振コイルペン）４は、所定の周波数の磁界を発生させるための発振コイルを内蔵しており、これをループコイルパネル部４６に近づけると、その磁界により誘起電圧が発生する。この誘起電圧が生じた部分の座標を座標検出部３７が検出する。これにより、手書き用ペン４により手書き入力されたときの手書きストローク情報が得られる。そして、この検出した手書きストローク情報はイメージ変換部３９によりイメージデータに変換され、更にイメージデータがテキスト変換部４０にてテキストデータに変換される。このテキストデータが、電子掲示板サーバ２へ送信されることになる。但し、テキスト変換不可能なイメージデータの場合等は、イメージデータのまま電子掲示板サーバ２へ送信されてもよい。図１の手書き表示装置３に示した表示例のうち祖母のメッセージ「５時まで散歩です」は、イメージデータのまま表示された例を示している。
【００７１】
また、本実施形態では、上記各ボタン５１〜５７によるモード切換・入力者認識以外に、手書き入力者が自身用の携帯端末を所持している場合には自動的に手書き入力モードに切り換えると共にその手書き入力者の認識も自動的に行えるようにしている。
【００７２】
即ち、手書き表示装置３の無線通信部４２からは、外部端末に対して認証ＩＤ送信を要求する送信要求信号が常時出力されており、外部端末は、この送信要求信号を受信すると認証ＩＤを送信するように構成されている。そして、外部端末からの認証ＩＤを無線通信部４２で受信すると、自動的に入力モードへ切り換えると共に、受信した認証ＩＤに基づいて手書き入力者を認識する。詳細については後述する。
【００７３】
尚、本実施形態では、手書き入力された情報がテキストデータに変換されて表示されるものとしたが、これに限らず、手書きイメージのまま表示するようにしてもよい。表示形式をイメージ表示にするかテキスト表示にするかは、任意に設定することができる。
【００７４】
また、本実施形態の手書き表示装置３のような、表示・入力部３６においてループコイルパネル部４６と液晶パネル部４７とが重複して形成されると共にループコイルパネル部４６の領域に手書き用ペン４による手書き入力（座標入力）及び掲示板情報表示を同時に行うことができる構成は、具体的には、表示部としての液晶表示パネル（液晶パネル部４７）の下に座標位置検出用のループコイルパネル（層）（ループコイルパネル部４６）を形成することにより実現している。
【００７５】
この場合、液晶表示パネルとしては、液晶層の下に外部の光源等の光を均一に集めるバックライト層としての光拡散板が一般的に形成されるが、反射型液晶表示パネルであれば、比較的厚みのある光拡散板が不要であるため、ループコイルパネルによる座標検出感度を高めることができる。
【００７６】
また別例として、液晶表示パネルの上に透明基材等を用いたループコイル座標検出層を形成した構成としてもよい。このように構成すれば、ループコイルが直接見えてしまうものの、座標検出感度は高くできる。
無線通信部４２と各外部端末１２〜１４が備える無線通信部７１との無線データ通信は、例えば、２．４ＧＨｚ帯域の電波を用いた無線伝送方式として周知のＢｌｕｅｔｏｏｔｈや、同じく２．４ＧＨｚ帯域を用いＩＥＥＥ８０２．１１にて規格化されている無線ＬＡＮ、或いは赤外線による通信など、種々の方法を採用することができる。
【００７７】
次に、本実施形態の外部端末について、図６に基づいて説明する。本実施形態では、外部端末として携帯電話及びＰＤＡを例に挙げたが、電子掲示板システムを利用するための機能・構成だけをみれば、両者はほぼ同一の構成である。従って、図６では、特に電子掲示板サーバ２との間でデータ送受を行うことに限定してその構成・動作について説明する。
【００７８】
図６に示した外部端末では、既述の通り、ＷＷＷブラウザが搭載され、ＩＳＰ１１を介してインターネット網１０へ接続することにより各種Ｗｅｂコンテンツを閲覧できるようになっている。そのため、ＷＷＷブラウザを起動して電子掲示板２ａを閲覧（電子掲示板サーバ２へアクセス）すると、図５（ａ）又は図５（ｂ）に例示したようなメイン画面が表示される。
【００７９】
ＣＰＵ６１は、当該外部端末１２，１３，１４の御全体を担うものであり、これら各種制御プログラムがＲＯＭ６２に格納されている。ＲＡＭ６３は、上記各種制御プログラムを実行するときのワークメモリである。ＲＴＣ（Ｒｅａｌ  Ｔｉｍｅ  Ｃｌｏｃｋ  ）６４は、時刻管理をするためのものである。尚、ＲＯＭ６２には、各外部端末毎の固有の認証ＩＤも格納されている。また、このＲＯＭ６２は、記憶内容を書き換え可能なＲＯＭであるため、認証ＩＤを自由に登録・格納することができる。
【００８０】
液晶パネル部６５は、ＣＰＵ６１の指示により液晶制御部６６を通して送られてきたイメージ画像やテキストを表示する。キーボード６７によりテキストやコマンドを入力でき、入力制御部６８によりその入力内容がＣＰＵ６１に送られる。音声制御部７０は、ＣＰＵ６１の指示により警告音等の発信音声情報をスピーカ６９に送って確認警告音を鳴らすようにされている。
【００８１】
無線通信部７１は、手書き表示装置３（図３参照）の無線通信部４２から送信される認証ＩＤ送信要求信号を受信すると共に、その受信を受けて自身の認証ＩＤを手書き表示装置３へ送信する。インターネット通信部７２は、ＩＳＰ１１を介してインターネット網１０に無線接続する。
【００８２】
次に、上記説明したゲートウェイ装置１，手書き表示装置３，外部端末１２〜１４それぞれにおいて実行される各処理について、以下、具体的に説明する。まず、ゲートウェイ装置１において実行される、外部からのアクセスを許可するか否か判断するアクセス判定処理について、図７に基づいて説明する。
【００８３】
この処理は所定周期で繰り返し実行されるものであり、図７に示す如く、まずステップ（以下「Ｓ」と略す）１１０にて、外部からインターネット通信部２６へパケットが来たか否かを判定し、パケットが来た場合はＳ１２０へ進んでそれを受信する。
【００８４】
続くＳ１３０で、受信したパケット内のネットワーク識別子をチェックする。具体的には、大容量記憶部２５内に予め登録されたネットワーク識別子であるか否かを判断し、登録されたもの以外のものであればＳ１４０で否定判定されてＳ１６０に進み、エラー通知を出力するが、登録されたものであった場合は、Ｓ１４０で肯定判定されてＳ１５０へ進み、その受信パケットの家庭内ＬＡＮへの進入（アクセス）を許可する。
【００８５】
つまり、外部からのデータ（パケット）は、ゲートウェイ装置１における上記アクセス判定処理によってフィルタリングされることになり、これにより不正アクセスを防止している。
尚、既述の通り、Ｓ１３０の処理を、ネットワーク識別子のチェックに代えて認証ＩＤによるチェックを行い、Ｓ１４０でその認証ＩＤが登録された者か否かを判断するようにしてもよい。このようにＳ１３０，Ｓ１４０で認証ＩＤによるチェック・登録判定を行う場合は、本発明の識別子判別手段が実行する処理に相当するものとなる。但し、外部から電子掲示板サーバ２への不正アクセスをより確実に防止するためには、ここでは認証ＩＤとは別のネットワーク識別子によるアクセス可否判断を行うのが好ましい。
【００８６】
次に、ゲートウェイ装置１における電子掲示板サーバ２が実行する掲示板データ処理について、図８に基づいて説明する。この処理も所定周期で繰り返し実行されるものであり、図８に示す如く、まずＳ２１０にて受信パケットがあるか否かを判断し、受信した場合はＳ２２０に進んでそれが掲示板データであるか否かを判断する。ここでいう掲示板データとは、各端末装置からの掲示データはもちろん、掲示板情報の閲覧要求、さらには後述する確認通知メッセージをも含むものであり、いずれにおいても、掲示板データであることを示すフラグが付加されてくる。
【００８７】
そのため、受信したパケットにこのフラグがあった場合は、掲示板データと判断してＳ２３０に進む。尚、ここで受信するパケットは、図７のアクセス判定処理においてアクセスが許可されたパケットである。
Ｓ２３０では、パケットを解析して掲示板データを取得し、Ｓ２４０でその掲示板データ中の認証ＩＤをチェックする。このとき、大容量記憶部２５に登録された認証ＩＤ（即ち父用・母用・長男用・長女用・祖母用・共用の各認証ＩＤ）でない場合はＳ１６０に進んでエラー通知が出されるが、登録された認証ＩＤの場合はＳ２６０に進み、掲示板データが確認通知メッセージであるか否かが判断される。
【００８８】
このとき、確認通知メッセージであれば、Ｓ２７０に進んでその受信処理を実行する。具体的には、どの外部端末からのメッセージであるかを判別して登録することになる。
一方、確認通知メッセージでない場合はＳ２８０以降の処理に進む。Ｓ２８０及びＳ３００では掲示板データの種類を判定し、閲覧要求であればＳ２９０に進んで掲示データの送信処理を行い、新規データであればＳ３１０に進んでそれを掲示データベース（つまり大容量記憶部２５）に格納（記憶）し、編集データであればＳ３２０に進んで、大容量記憶部２５に格納中の当該データをその編集後のデータに更新する。
【００８９】
Ｓ３１０の新規データ格納処理は、より詳細には、認証ＩＤにより判別された家人の情報、つまり掲示データの提供者（及び受信した時刻）をその掲示データと対応付けて格納する。但し、既述の通り、本実施形態では各端末装置から掲示データを送信する際に共用掲示データとして指定することもできる。従って、共用掲示データ指定されて送信されてきた掲示データは、このＳ３１０の処理では、共用掲示面（図５（ａ）参照）に掲示すべきデータとして記憶されることになり、これが実際に手書き表示装置３或いは各端末装置に表示される際には、共用掲示面に表示されることになる。
【００９０】
また、手書き表示装置３からの掲示データ（手書き情報）の場合は、後述するようにその掲示データと共に手書き情報の入力者及び入力時刻（本発明のストローク関連情報）が送信されてくるため、その入力者及び入力時刻の情報と掲示データとを対応付けて格納する。このように格納することにより、実際に各端末装置や手書き表示装置３で表示する際に、図５に示したような分類表示が可能となる。
【００９１】
Ｓ２９０のデータ送信処理は、詳細には図９に示す通りである。即ち、まずＳ４１０にて、閲覧要求内容に従って送信用掲示データを生成する。つまり、大容量記憶部２５内の掲示データの中から必要なデータを抽出して送信用パケット化する。またこのとき、掲示データと対応付けて記憶されている提供者（手書き入力者）情報等に基づき、送信先で図５に例示したように分類表示されるよう、送信用掲示データを生成する。
【００９２】
尚、このＳ４１０の処理は、より具体的には、閲覧要求のあった掲示板情報を送信先の端末装置に搭載されたＷＷＷブラウザでＷｅｂページとして表示させるためのデータを生成するものであり、本実施形態では、テキスト情報、イメージ情報、タグ情報等で構成されるＨＴＭＬ（Ｈｙｐｅｒ  Ｔｅｘｔ  Ｍａｒｋｕｐ  Ｌａｎｇｕａｇｅ）形式のデータを生成する。
【００９３】
続くＳ４２０では、閲覧要求元の端末装置の端末識別子を取得する。この端末識別子は、閲覧要求元の端末の種類（携帯電話かＰＣかＰＤＡか、といった種類）を判別するためのもので、端末装置からのデータ送信の際には上記認証ＩＤと共に付加されて送信されるものである。
【００９４】
この端末識別子により送信先（つまり閲覧要求元）がＰＤＡであると判別された場合は、Ｓ４３０で肯定判定されてＳ４５０へ進み、ＰＤＡ用縮小率を設定して、続くＳ４７０で、Ｓ４１０にて生成したデータをそのＰＤＡ用縮小率にて縮小処理する。そして、縮小処理後のデータがＳ４８０にて送信される。
【００９５】
一方、送信先が携帯電話であると判別された場合は、Ｓ４４０で肯定判定されたＳ４６０に進み、携帯電話用縮小率を設定して、続くＳ４７０で、Ｓ４１０にて生成したデータをその携帯電話用縮小率にて縮小処理する。そして、縮小処理後のデータがＳ４８０にて送信される。送信先がＰＤＡ、携帯電話のいずれでもない場合は、Ｓ４１０で生成したデータをそのまま送信することになる。
【００９６】
つまり本実施形態では、Ｓ４１０で生成する送信用掲示データが一般的なデスクトップＰＣ用のデータであり、これをそのまま携帯電話或いはＰＤＡに送信すると、データが大きすぎて正常に表示されないおそれがある。そのため、送信先の端末の種類に応じて縮小処理するようにしている。
【００９７】
尚、ＰＤＡや携帯電話等の、簡易ブラウザでしか表示できない携帯機器に対しては、ＨＴＭＬ形式の送信用掲示データをコンパクトＨＴＭＬやＨＤＭＬ（Ｈａｎｄｈｅｌｄ  Ｄｅｖｉｃｅ  Ｍａｒｋｕｐ  Ｌａｎｇｕａｇｅ  ）等の、携帯機器向けの簡易形式のデータに変換して送信する。また別の方法として、予め、通常のＨＴＭＬ形式の送信用掲示データと携帯機器等の簡易ブラウザに対応した簡易形式の送信用掲示データとを同期して備えさせ、外部からアクセスしてきたときにアクセス元の機器の種類を判別して、それに対応する形式のデータを送信するようにしてもよい。
【００９８】
再び図８に戻り、Ｓ３３０で更新データを手書き表示装置３へ送信すると共に、Ｓ３４０で更新通知メッセージを登録中の全端末装置に送信する。これにより、手書き表示装置３においては更新された最新の掲示板情報が表示されることになり、各端末装置の使用者は、掲示板情報が更新されたことを認識することになる。尚、Ｓ３３０の送信処理は、図９に示したデータ送信処理におけるＳ４１０及びＳ４８０とほぼ同様の処理である。
【００９９】
次に、外部端末装置において実行されるデータ受信処理について、図１０に基づいて説明する。図１０に示す如く、まずＳ５１０でインターネット網１０よりＩＳＰ１１を介してパケットを受信したか否かを判断し、受信した場合はＳ５２０に進み、それが掲示板データであるか否か判断する。ここで、掲示板データとしては掲示データそのものである場合と、更新通知メッセージ（図８のＳ３４０参照）である場合とが考えられ、いずれでもない場合はＳ５９０に進んで、受信パケットの種類に応じた処理を行う。
【０１００】
一方、掲示板データである場合は、Ｓ５３０にて受信パケットから掲示板データを取り出して、Ｓ５４０にてそれが更新通知メッセージであるか否か判断する。このとき、更新通知メッセージでない場合（つまり掲示データ）は、Ｓ６００に進んでその受信した掲示データをＷＷＷブラウザにて表示することにより、電子掲示板２ａの掲示板情報を閲覧することになるが、更新通知メッセージの場合は、Ｓ５５０に進み、確認警告音を鳴らす。これにより、外部端末の使用者（所持者）は掲示情報が更新されたことを認識することになる。
【０１０１】
そして、使用者が電子掲示板サーバ２へアクセスすると、Ｓ５６０からＳ５７０へ進んで電子掲示板サーバ２へ確認通知メッセージを送信し、続くＳ５８０で確認警告音を止める。この確認通知メッセージは、既述の通り、図８のＳ２７０にて受信処理されることになる。
【０１０２】
尚、掲示板データが更新通知メッセージであった場合に、単にＳ５５０のように確認警告音を鳴らすだけでなく、確認警告音を鳴らすのと同時にＷＷＷブラウザを起動させ、電子掲示板サーバ２へ自動的にアクセス（電子掲示板２ａを閲覧）するようにしてもよい。このようにすれば、端末装置の使用者は、確認警告音が鳴ったときに表示画面を見ると既に電子掲示板２ａが表示されていることになる。
【０１０３】
次に、手書き表示装置３において実行される認証ＩＤ識別入力処理について、図１１に基づいて説明する。この処理も所定周期で繰り返し実行されるものであり、図１１に示す如く、まずＳ６１０にて認証ＩＤ要求信号を送信する。これは、既述の通り無線通信部４２から送信される。
【０１０４】
一方、外部端末は、この認証ＩＤ要求信号を受信すると、自身に登録された認証ＩＤを送信する。図１３は、外部端末が実行する認証ＩＤ送信処理を示すフローチャートであり、図示の如く、割り込み処理として手書き表示装置３からの認証ＩＤ要求信号を受信すると（Ｓ９１０）、認証ＩＤを送信する（Ｓ９２０）。
【０１０５】
このようにして外部端末から送信されてきた認証ＩＤを受信すると、Ｓ６２０で肯定判定されてＳ６３０に進み、送信されてきた認証ＩＤの照合を行う。詳細には図１２に示す通りであり、まずＳ８１０にて、ゲートウェイ装置１に対して認証ＩＤの照合を問い合わせる。具体的には、照合問い合わせ信号を送信する。そしてＳ８２０で、上記問い合わせに対するゲートウェイ装置１からの問い合わせ結果をみて、照合結果が有効（つまり登録された認証ＩＤ）であれば、Ｓ８３０に進んで認証ＩＤを有効として設定し、再び図１１の処理に戻る。照合結果が有効でない（つまり大容量記憶部２５に登録されていない）場合は、Ｓ８４０に進んで認証ＩＤを無効として設定し、再び図１１の処理に戻る。
【０１０６】
ゲートウェイ装置１における認証ＩＤの照合は、図１４に示すように行われる。即ち、Ｓ１０１０にて、手書き表示装置３からの照合問い合わせ信号（図１２のＳ８１０）を割り込み受信すると、Ｓ１０２０で認証ＩＤデータベース（大容量記憶部２５内の認証ＩＤ）との照合を行い、問い合わせ対象の認証ＩＤが登録されているか否か判断する。そして、Ｓ１０３０でその照合結果を手書き表示装置３へ送信する。
【０１０７】
再び図１１に戻って説明を続ける。Ｓ６３０の認証ＩＤ照合処理の後は、Ｓ６４０で認証ＩＤが登録されたものか否か判断し、Ｓ６３０による照合結果が「有効」であればＳ６５０に進むが、「無効」の場合は再びＳ６１０に戻ることになる。
【０１０８】
Ｓ６５０では、タイムアウト判定がなされる。これは、認証ＩＤ照合により有効と判断されてから所定期間内に手書き用ペン４による入力がなされるか否かをみるものであり、所定期間入力がなかった場合はここで肯定判定され、本処理を終了することになる。所定期間中に入力がなされた場合は、Ｓ６６０で肯定判定されてＳ６７０に進み、認証ＩＤに基づいてその手書き入力者が誰であるかを判別する。ここで判別される入力者情報が、本発明のストローク関連情報に相当する。
【０１０９】
そして、手書き用ペン４による入力中は、Ｓ６８０の処理が繰り返されることになるが、この間は、詳細には座標検出部３７にて手書きストローク（座標）が検出され、その検出データが一時的にＲＡＭ３４に記憶される。このＲＡＭ３４への記憶は、本発明のストローク記憶手段が実行する処理に相当する。
【０１１０】
手書き用ペン４による入力が終了すると（Ｓ６８０；ＹＥＳ）、Ｓ６９０に進んでデータ変換を行う。このデータ変換は、座標検出部３７にて検出されＲＡＭ３４に記憶された手書きストロークをイメージ変換部３９にてイメージデータに変換し更にそれをテキスト変換部４０にてテキストデータに変換する処理である。このデータ変換後はＳ７００に進み、Ｓ６９０の処理で得られたテキストデータを電子掲示板サーバ２へ送信する。このとき、テキストデータに手書き入力者及び入力時刻の情報が対応付けられたデータとして送信される。
【０１１１】
上記説明した図１１の認証ＩＤ識別入力処理は、認証ＩＤ要求信号を送出してそれに対する端末装置からの認証ＩＤを受けて各種処理を行うものだが、手書き表示装置３では、この認証ＩＤ識別入力処理に優先して、図１５に示す表示・入力処理が常時実行される。この表示・入力処理は、電子掲示板２ａの掲示板情報を液晶パネル部４７に表示させたり、図３で説明した各ボタン５１〜５７の操作により認証ＩＤのやりとりを行わずに直接手書き入力を受け付けたりする処理である。
【０１１２】
この表示・入力処理は、手書き表示装置３の電源投入と同時に開始され、所定周期で繰り返し実行されるものである。図１５に示す如く、電源が投入されるとまずＳ１１１０にて、電子掲示板サーバ２から掲示データを取得する。そして、続くＳ１１２０で液晶パネル部４７に表示可能なデータ形式に変換し、Ｓ１１３０で掲示板情報を表示する。つまり、電源投入時の初期状態は掲示板情報を表示する表示モードになる。
【０１１３】
続くＳ１１４０では、手書き入力要求があるか否かを判断する。これは、モード切換ボタン５１操作等の、入力モードに設定すべき旨の操作がなされたか否かを判断する処理であり、該当する操作がなされた場合はＳ１１８０に進み、入力モードに設定する。その後、手書き入力が終わるまで（入力確定ボタン５２が押されるまで）Ｓ１１９０の処理を繰り返し、入力終了したらＳ１２００に移行して手書き入力者の判別を行う。この判別は、手書き入力者が入力者判別用の各ボタン５３〜５７のいずれを押したかによってなされるものである。
【０１１４】
入力者判別後はＳ１２１０に進んでデータ変換を行い、Ｓ１２２０で電子掲示板サーバ２へ送信する。このＳ１２１０〜Ｓ１２２０の処理は、図１１で説明したＳ６９０〜Ｓ７００の処理と同様である。
一方、手書き入力要求がなくＳ１１４０で否定判定された場合は、Ｓ１１５０に進んで電子掲示板サーバ２から掲示データを受信したか否か判断し、受信しないときはＳ１１４０に戻るが、受信した場合は、Ｓ１１６０でその掲示データを液晶パネル部４７に表示可能なデータ形式に変換し、続くＳ１１７０にて液晶パネル部４７に表示する。つまり、Ｓ１１３０の処理で表示された掲示板情報に対し、その受信した掲示データに対応する掲示板情報がＳ１１７０の処理によって更新或いは新規追加されることになる。
【０１１５】
以上詳述した本実施形態の家庭内電子掲示板システムによれば、手書き用ペン４によりループコイルパネル部４６へ直接手書き入力するだけでその入力内容が掲示データとして電子掲示板サーバ２に保存されるため、ＰＣ等の端末装置の操作が苦手な人でも何不自由なく、しかも迅速に、自身のスケジュール情報等を書きこむことができる。
【０１１６】
また、電子掲示板サーバ２に保存され電子掲示板２ａとして掲示される掲示板情報は、液晶パネル部４７に表示されるため、ＰＣ等の端末装置の操作が苦手な人でも何不自由なく電子掲示板２ａを閲覧でき、しかも常に最新の掲示板情報を閲覧することができる。
【０１１７】
更に、手書き用ペン４として発振コイルペンを用い、手書きストロークを座標検出部３７で検出する構成であるため、手書き情報を手書きイメージの通り忠実に読み取り、電子掲示板２ａへ掲示板情報として確実に反映させることができる。しかも、ただ単に手書きされた情報のみを電子掲示板サーバ２に保存するのではなく、その手書き情報を書き込んだ者或いは書き込んだ時刻などの情報も併せて保存するため、掲示データを時間別或いは個人別等、よりフレキシブルに編集・管理することができる。
【０１１８】
具体的には、掲示データを電子掲示板２ａにおける掲示板情報として表示する際に、図５（ａ），（ｂ）に例示したような分類表示が可能となり、単に情報を列挙する方法に比べて所望のメッセージを迅速に閲覧することができる。特に図５（ａ）のように、手書き表示装置３の液晶パネル部４７や各外部端末１２〜１４の液晶パネル部６５などの表示画面において、その表示領域を家人毎に分割すると共に各家人が書き込んだ掲示板情報をそれぞれ対応する領域に分類表示する方法は、図５（ｂ）のように所望のページを選択するといった操作をすることなく所望の家人の情報を得ることができる。
【０１１９】
また、電子掲示板サーバ２がインターネットと接続されているため、外出先であっても、携帯電話やＰＤＡ等の端末装置から電子掲示板サーバ２にアクセスし、電子掲示板２ａを閲覧することができる。しかも、無制限にアクセスを許可するのではなく、ネットワーク識別子や認証ＩＤによってアクセスを制限するようにしているため、外部からの不特定多数のアクセスから掲示板情報を守ることができ、家庭内のプライベートな情報が家人以外に見られてしまうといった問題を防ぐことが可能となる。
【０１２０】
更に、電子掲示板サーバ２内の掲示データが更新されたときに、各端末装置へ更新された旨を通知するようにし、これを受けた端末装置ではその使用者に対して確認警告音により電子掲示板２ａを閲覧（更新された掲示板情報を確認）するよう促すようにしているため、各端末装置の利用者は、最新の掲示板情報を迅速に閲覧・把握することができる
ここで、本実施形態の構成要素と本発明の構成要素の対応関係を明らかにする。本実施形態において、ループコイルパネル部４６と手書き用ペン４とで本発明の手書き入力手段が構成され、手書き表示装置３内の液晶パネル部４７は本発明の掲示板情報表示手段に相当し、イメージ変換部３９は本発明の手書き情報変換手段に相当し、座標検出部３７は本発明のストローク検出手段に相当し、無線通信部４２，ＲＴＣ３５，及び入力者識別用の各ボタン５３〜５７はいずれも本発明のストローク関連情報入力手段に相当する。
【０１２１】
また、図８の掲示板データ処理において、Ｓ２４０〜Ｓ２５０の処理は本発明識別子判別手段が実行する処理に相当し、Ｓ３１０の処理は本発明の第１及び第２掲示情報保存手段が実行する処理に相当し、Ｓ３４０の処理は本発明の更新通知手段が実行する処理に相当する。また、図９のデータ送信処理において、Ｓ４１０の処理は本発明の分類掲示手段が実行する処理に相当し、Ｓ４３０〜Ｓ４８０の処理は本発明の第１掲示情報変換手段が実行する処理に相当する。
【０１２２】
そして、図１０のデータ受信処理において、Ｓ５５０の処理は本発明の更新報知手段が実行する処理に相当し、Ｓ５７０の処理は本発明の確認通知手段が実行する処理に相当する。また、図１１の認証ＩＤ識別入力処理において、Ｓ６９０の処理は本発明の手書き情報変換手段が実行する処理に相当する。図１５の表示・入力処理においては、Ｓ１１２０及びＳ１１６０の処理はいずれも本発明の第２掲示情報変換手段が実行する処理に相当し、Ｓ１２１０の処理は本発明の手書き情報変換手段が実行する処理に相当する。
【０１２３】
［変形例］
上記実施形態では、手書き表示装置３における手書き入力を受け付けるための構成として、手書き用ペン４（発振コイルペン）とループコイルパネル部４６とにより構成し、手書きストロークを検出してイメージデータに変換（さらにはテキストデータに変換）する方法を例に挙げて説明したが、ストローク検出以外に、例えば手書き内容を直接スキャナで読み取ってイメージデータ化する方法も可能である。
【０１２４】
具体的には図１６に示す構成が考えられる。図１６の手書き表示装置８０は、上記実施形態の手書き表示装置３（図３）と比較して、手書き入力及び入力した内容をデータ化するための構成が主な相違点であり、他の構成要素については図３とほぼ同様である。そのため、以下の説明においては、上記相違点に絞って説明する。
【０１２５】
図１６の手書き表示装置は、手書き用ペン９２としてごく一般的なインクペンを使用し、そのインクペンでホワイトボード８４上に手書き入力するよう構成されている。つまり、従来からよく知られ利用されているホワイトボードによる手書き入力方法である。
【０１２６】
そして、ホワイトボード８４上に手書きされた内容は、ＣＣＤセンサ８６を備えたスキャンユニット８５により読み取られ、Ａ／Ｄ変換器８９でデジタルデータ化される。このデジタルデータ（つまりホワイトボード８４上のイメージデータ）は更に、イメージ抜き取り部９０にて、実際に手書き用ペン９２で書き込まれた部分を含む所定エリアのみが抜き取られ、ＲＡＭ８３に一時的に記憶されることになる。このＲＡＭ８３への記憶は、本発明のイメージ記憶手段が実行する処理に相当する。
【０１２７】
尚、図示は省略したが、スキャンユニット８５で読み取られた信号に対しては、Ａ／Ｄ変換器８９でＡ／Ｄ変換される前に、信号帯域制限や、増幅等によるレベル調整などの各種処理が行われる場合が多い。
イメージ抜き取り部９０における抜き取りエリアは、ＣＰＵ８１により演算される。具体的には、ＣＣＤセンサ８６で読み取ったホワイトボード８４全体の内容から、手書き用ペン９２による書き込みがなされた部分を識別し、その識別した部分を含む所定エリアを演算にて求め、イメージ抜き取り部９０へその演算結果を出力する。
【０１２８】
ＣＣＤセンサ８６は一次元のリニアセンサであり、ＣＰＵ８１の指令を受けて動作するモータ制御部８８からの制御信号に従ってモータ８７が動作することにより、スキャンユニット８５が移動（延いてはＣＣＤセンサ８６が移動）し、移動しながらホワイトボード上の内容を読み取る。
【０１２９】
図１７に、この手書き表示装置８０を正面から見た図を示す。図示の如く、ホワイトボード８４は液晶パネル部４７の上部に取り付けられ、その左側にスキャンユニット８５及びこれを駆動するモータ８７等（図示略）が設けられている。そして、スキャンユニット８５を右方向に移動させることにより、ホワイトボード８４上の内容をＣＣＤセンサ８６で読み取ることができる。
【０１３０】
手書き表示装置８０をこのように構成した場合、図８で説明した掲示板データ処理におけるＳ３１０の処理で新規掲示データと共に格納される手書き入力者情報は、本発明のイメージ関連情報に相当するものとなる。つまり、図１１のＳ６７０の処理で判別される手書き入力者に関する情報が本発明のイメージ関連情報に相当する。
【０１３１】
また、図１６の手書き表示装置８０において、ＣＣＤセンサ８６は本発明のイメージ読み取り手段に相当し、イメージ抜き取り部９０は本発明のイメージ抜き取り手段に相当し、各ボタン５３〜５７，無線通信部４２，ＲＴＣ３５は本発明のイメージ関連情報入力手段に相当する。
【０１３２】
尚、本発明の実施の形態は、上記実施形態に何ら限定されるものではなく、本発明の技術的範囲に属する限り種々の形態を採り得ることはいうまでもない。
例えば、上記実施形態ではゲートウェイ装置１内に電子掲示板サーバ２が備えられたものとして説明したが、このような構成に限定されないことは言うまでもなく、例えば、電子掲示板サーバ２が単体で家庭内ネットワーク５に接続された構成であってもよいし、他のサーバ（例えばファイルサーバ等）に電子掲示板サーバ２が構築されてもよい。また例えば、手書き表示装置３とゲートウェイ装置１と電子掲示板サーバ２とが全て一体化された一つの装置として構成されたものであってもよい。
【０１３３】
また、上記実施形態では、ネットワーク識別子及び認証ＩＤによる認証により不正アクセスを防止する場合を例に挙げて説明したが、不正アクセスの防止方法は上記認証方法に限定されないことはいうまでもない。例えば、電子掲示板サーバ２へのアクセス用ＩＤ・パスワードを予め決めておき、外部端末装置からアクセスがある度にＩＤ・パスワードの入力を促し、正規のＩＤ・パスワードの場合にのみアクセスを許可する方法でもよい。
【０１３４】
また例えば、ＩＤやパスワードではなく、電話番号やＥ−ｍａｉｌアドレスなどであってもよい。この場合、識別のための処理が簡易的になり、利用者の操作も更に簡単になる。
更に、上記実施形態では、外部端末として携帯電話とＰＤＡ（無線通信機能付）を例に挙げて説明したが、これに限らず例えば、無線通信機能を持たないＰＤＡに無線ＬＡＮカード或いはＰＨＳカード等の無線通信モジュールを挿入して無線接続できるようにした構成としてもよい。また、ノートパソコン等を用いて無線接続するようにしてもよい。
【０１３５】
また、上記実施形態の手書き表示装置３では、手書き入力するために、モード切換ボタン５１でまず手書き入力モードにするようにしたが、手書き用ペン４でループコイルパネル部４６内の任意の点を触れることで手書き入力モードに切り換わるような構成にしてもよい。
【０１３６】
手書き情報を検出する手段についても、上記実施形態や上記変形例で例示した方法以外でも実現できることはいうまでもない。例えば、ストロークを検出する手書き入力手段としては、上記実施形態に示した方法以外に、最も一般的である、電極シートをペンでなぞる感圧型の入力装置や、複数の方向からの赤外光を検出する赤外光検出形式、或いは静電結合形式等の、広く知られている形式を適宜選択して適用することができる。特に感圧型の入力装置の場合は、液晶パネル上に透明電極シートを配置することで、手書き入力と画像表示を自然な形で実施できるというメリットがある。
【０１３７】
又、変形例で示したような、手書きイメージを直接検出する手書き入力手段としては、上記例以外に例えば、ペンで記載された手書きイメージをＣＣＤカメラ等の撮像装置で直接撮影することにより手書きイメージを検出するようにしてもよい。
【０１３８】
また上記実施形態では、更新通知メッセージを、登録されている端末装置全てに送信するものとして説明したが、これに限らず特定者にのみ通知するようにしてもよい。その際、例えば掲示データの更新者が更新通知メッセージの受信者を指定するような仕組みにしてもよい。
【０１３９】
上記実施形態の手書き表示装置３が備える、手書き入力者判別のための各ボタン５３〜５７は、家族の人数に応じて増やしてもよい。上記実施形態（５種類）はあくまでも一例である。
また、図５（ａ），（ｂ）に示した分類表示方法はあくまでも一例であり、これ以外にも例えば、単に「父親用掲示板」、「母親用掲示板」…といった文字メニューだけ表示すると共に、各文字にそれぞれ対応する実際の掲示板情報の所在データ（ＵＲＬ）をハイパーリンクとして埋め込んでおき、所望の文字をクリック（例えば父親の掲示板情報を見たい場合に「父親用掲示板」という文字をクリック）すると父親の掲示板情報が表示される、という構成にしてもよい。
【０１４０】
尚、図５（ａ），（ｂ）に示したように掲示板情報を家人毎に分類表示することは、上記実施形態の電子掲示板システム構成のみならず、例えば、手書き表示装置３を備えない従来の一般的な電子掲示板システムに適用しても、所望のメッセージを迅速に閲覧できる効果が得られる。
【０１４１】
つまり、従来の電子掲示板システムでは、図１に示したように単に掲示板情報を列挙するものが一般的である。しかしながら、単純な列挙では、例えばある特定の人が書き込んだ情報のみを見たい場合にその所望の掲示板情報を迅速に把握するのは困難である。特に、多人数の掲示板情報が列挙されている中から所望の情報のみを探し出すのは非常に困難であり、掲示板情報一つ一つについてそれが誰による情報であるかを逐一確認していく必要がある。
【０１４２】
そのため、手書き表示装置３を備えない電子掲示板システムにおいても、電子掲示板における掲示板情報の掲示方法（換言すれば各端末装置での電子掲示板の表示方法）を図５（ａ）、（ｂ）に例示したような分類掲示とすれば、特定の家人のメッセージだけをみたいといった場合などに特に有効であり、所望のメッセージを迅速に閲覧することができる。
【図面の簡単な説明】
【図１】本実施形態の家庭内電子掲示板システムの概略構成を示す説明図である。
【図２】本実施形態のゲートウェイ装置の概略構成を示すブロック図である。
【図３】本実施形態の手書き表示装置の概略構成を示すブロック図である。
【図４】本実施形態の手書き表示装置を正面から見た図である。
【図５】手書き表示装置及び各端末装置における掲示板情報の表示例を示す説明図である。
【図６】本実施形態の外部端末（携帯電話，ＰＤＡ）の概略構成を示すブロック図である。
【図７】本実施形態のゲートウェイ装置にて実行されるアクセス判定処理を示すフローチャートである。
【図８】本実施形態のゲートウェイ装置における電子掲示板サーバが実行する掲示板データ処理を示すフローチャートである。
【図９】図８の掲示板データ処理におけるＳ２９０のデータ送信処理の詳細を示すフローチャートである。
【図１０】本実施形態の外部端末にて実行されるデータ受信処理を示すフローチャートである。
【図１１】本実施形態の手書き表示装置にて実行される認証ＩＤ識別入力処理を示すフローチャートである。
【図１２】図１１の認証ＩＤ識別入力処理におけるＳ６３０の認証ＩＤ照合処理の詳細を示すフローチャートである。
【図１３】本実施形態の外部端末が実行する認証ＩＤ送信処理を示すフローチャートである。
【図１４】本実施形態のゲートウェイ装置にて実行される認証ＩＤ照合処理を示すフローチャートである。
【図１５】本実施形態の手書き表示装置にて実行される表示・入力処理を示すフローチャートである。
【図１６】手書き表示装置の変形例の概略構成を示すブロック図である。
【図１７】手書き表示装置（変形例）を正面から見た図である。
【符号の説明】
１…ゲートウェイ装置、２…電子掲示板サーバ、３，８０…手書き表示装置、４，９２…手書き用ペン、５…家庭内ネットワーク、６，７…ＰＣ、８…再び図、１０…インターネット網、１１…再び図、１２…（長男用）携帯電話、１３，１４…ＰＤＡ、２５…大容量記憶部、２６，７２…インターネット通信部、２７，４１…イーサネット（登録商標）制御部、２８…バス、３１，６１，８１…ＣＰＵ、３３，６２，８２…ＲＯＭ、３４，６３，８３…ＲＡＭ、３５，６４…ＲＴＣ、３６…表示・入力部、３７…座標検出部、３８，６６…液晶制御部、３９…イメージ変換部、４０…テキスト変換部、４２，７１…無線通信部、４６…ループコイルパネル部、４７，６５…液晶パネル部、５１…モード切換ボタン、５２…入力確定ボタン、５３…父用ボタン、５４…母用ボタン、５５…長男用ボタン、５６…長女用ボタン、５７…祖母用ボタン、６７…キーボード、６８…入力制御部、６９…スピーカ、７０…音声制御部、８４…ホワイトボード、８５…スキャンユニット、８６…ＣＣＤセンサ、８７…モータ、８８…モータ制御部、８９…Ａ／Ｄ変換器、９０…イメージ抜き取り部
【図１】
2004336479.tif 000003
【図２】
2004336479.tif 000004
【図３】
2004336479.tif 000005
【図４】
2004336479.tif 000006
【図５】
2004336479.tif 000007
【図６】
2004336479.tif 000008
【図７】
2004336479.tif 000009
【図８】
2004336479.tif 000010
【図９】
2004336479.tif 000011
【図１０】
2004336479.tif 000012
【図１１】
2004336479.tif 000013
【図１２】
2004336479.tif 000014
【図１３】
2004336479.tif 000015
【図１４】
2004336479.tif 000016
【図１５】
2004336479.tif 000017
【図１６】
2004336479.tif 000018
【図１７】
2004336479.tif 000019